(57)【要約】レセプタクルコネクタ２０は、基板実装面の反対側にプラグコネクタ３０を受容する凹部２０３が形成されたハウジング２００と、ハウジング２００の両端部間に配列された所要数のコンタクト２２０と、ハウジング２００の両端部にそれぞれ設けられた補強金具２３０とを備える。補強金具２３０は、コンタクト２２０の配列ピッチ方向に沿って延在する片持ち弾性片２３５と、該片持ち弾性片２３５の自由端側端部から延出し、レセプタクルコネクタ２０とプラグコネクタ３０との嵌合時に該プラグコネクタ３０と接触する接触片２３６とを有する。
2020059210.tif 000002
【特許請求の範囲】
【請求項１】
一方の基板に実装されるレセプタクルコネクタと、他方の基板に実装されるプラグコネクタとを嵌合することで両基板間の電気的な接続を行う基板対基板コネクタにおけるレセプタクルコネクタであって、
基板実装面の反対側に開口し前記プラグコネクタを受容する凹部が形成されたハウジングと、
前記ハウジングの両端部間に配列された所要数のコンタクトと、
前記ハウジングの前記両端部にそれぞれ設けられた補強金具と、を備え、
前記補強金具は、前記コンタクトの配列ピッチ方向に沿って延在する片持ち弾性片と、該片持ち弾性片の自由端側端部から延出し、前記レセプタクルコネクタと前記プラグコネクタとの嵌合時に該プラグコネクタと接触する接触片とを有することを特徴とするレセプタクルコネクタ。
【請求項２】
前記接触片は、前記ハウジングの高さ方向に延在していることを特徴とする、請求項１に記載のレセプタクルコネクタ。
【請求項３】
前記補強金具は、前記ハウジングの、前記基板実装面の反対側の面に沿って形成された頂壁を有し、前記レセプタクルコネクタに対する前記プラグコネクタの嵌合方向で見て、前記接触片の先端部は前記頂壁によって覆隠されていることを特徴とする、請求項１または２に記載のレセプタクルコネクタ。
【請求項４】
前記接触片は、その基端部と先端部との間に内向き凸の湾曲部を有することを特徴とする、請求項１から３までのいずれか一項に記載のレセプタクルコネクタ。
【請求項５】
前記補強金具は、前記片持ち弾性片および前記接触片を各々２つ有し、該２つの片持ち弾性片および接触片は、前記配列ピッチ方向に対する直交方向で対向する位置に配置されていることを特徴とする、請求項１から４までのいずれか一項に記載のレセプタクルコネクタ。
【請求項６】
前記補強金具は、前記ハウジングの成形時に一体成形により、前記ハウジングに固着されていることを特徴とする、請求項１から５までのいずれか一項に記載のレセプタクルコネクタ。
【発明の詳細な説明】
【技術分野】
【０００１】
本発明は、一方の基板に実装されるレセプタクルコネクタと、他方の基板に実装されるプラグコネクタとを嵌合することで両基板間の電気的な接続を行う基板対基板コネクタにおけるレセプタクルコネクタに関する。
【背景技術】
【０００２】
近年の傾向として、電気・電子機器や通信機器の小型化に伴い、コネクタも小型化及び低背化が進み、それに伴い強度が低下している。このため、コネクタ同士が誤嵌合された場合に、互いに嵌合する各コネクタの両端部が損傷を受けたり破損したりすることがある。これを防止するため、特許文献１には、コネクタの両端部に補強金具を設けて強度を向上させる技術が提案されている。さらに特許文献１には、相手方コネクタとの嵌合状態を保持するため、補強金具の側壁上端から凸に湾曲しながら下垂し、嵌合時に相手方コネクタと接触する接触片（接触腕部５５）を設けることが開示されている。
【先行技術文献】
【特許文献】
【０００３】
【特許文献１】特開２０１６−８５９９４号公報
【発明の概要】
【発明が解決しようとする課題】
【０００４】
しかしながら、特許文献１に記載のコネクタでは、接触片のばね長が高さ方向（挿抜方向）に配置されているため、コネクタが低背化されればされるほどばね長も短くなり、その結果、接触片のばね性が低下し、安定した接触が得られなくなる。【０００５】
本発明の目的は、コネクタを低背化してもなお、補強金具の接触片を介して相手方コネクタとの良好な接触が得られるレセプタクルコネクタを提供することにある。
【課題を解決するための手段】
【０００６】
上記課題を有利に解決するため、本発明は、一方の基板に実装されるレセプタクルコネクタと、他方の基板に実装されるプラグコネクタとを嵌合することで両基板間の電気的な接続を行う基板対基板コネクタにおけるレセプタクルコネクタであって、基板実装面の反対側に開口し前記プラグコネクタを受容する凹部が形成されたハウジングと、前記ハウジングの両端部間に配列された所要数のコンタクトと、前記ハウジングの前記両端部にそれぞれ設けられた補強金具と、を備え、前記補強金具は、前記コンタクトの配列ピッチ方向に沿って延在する片持ち弾性片と、該片持ち弾性片の自由端側端部から延出し、前記レセプタクルコネクタと前記プラグコネクタとの嵌合時に該プラグコネクタと接触する接触片とを有する。【０００７】
本発明の好適な態様では、前記接触片は、前記ハウジングの高さ方向に延在している。【０００８】
本発明の好適な態様では、前記補強金具は、前記ハウジングの、前記基板実装面の反対側の面に沿って形成された頂壁を有し、前記レセプタクルコネクタに対する前記プラグコネクタの嵌合方向で見て、前記接触片の先端部は前記頂壁によって覆隠されている。【０００９】
本発明の好適な態様では、前記接触片は、その基端部と先端部との間に内向き凸の湾曲部を有する。【００１０】
本発明の好適な態様では、前記補強金具は、前記片持ち弾性片および前記接触片を各々２つ有し、該２つの片持ち弾性片および接触片は、前記配列ピッチ方向に対する直交方向で対向する位置に配置されている。【００１１】
本発明の好適な態様では、前記補強金具は、前記ハウジングの成形時に一体成形により、前記ハウジングに固着されている。
【発明の効果】
【００１２】
本発明によれば、レセプタクルコネクタのハウジングの端部に設けられた補強金具の接触片が、コンタクトの配列ピッチ方向に沿って延在する片持ち弾性片の自由端側端部に支持されているので、レセプタクルコネクタを低背化した場合においても、十分なばね長を確保して接触片をプラグコネクタに安定して接触させることができる。
【図面の簡単な説明】
【００１３】
【図１】本発明の一実施形態のレセプタクルコネクタを相手方コネクタであるプラグコネクタとともに示す斜視図であり、図中の矢印はレセプタクルコネクタとプラグコネクタとの嵌合方向である。
【図２】図１のレセプタクルコネクタの上面側斜視図である。
【図３】図１のレセプタクルコネクタの底面図である。
【図４】図１のレセプタクルコネクタの平面図である。
【図５】図１のレセプタクルコネクタの横断面図であり、（ａ）は図４中のＡ−Ａ断面図であり、（ｂ）は図４中のＢ−Ｂ断面図であり、（ｃ）は図４中のＣ−Ｃ断面図である。
【図６】図１のレセプタクルコネクタのハウジングの長手方向端部に設けられた補強金具を示し、（ａ）は上面側から見た斜視図であり、（ｂ）は下面側から見た斜視図である。
【図７】図１のレセプタクルコネクタおよびプラグコネクタを互いに嵌合させた状態の基板対基板コネクタの平面図である。
【図８】図７の基板対基板コネクタの横断面図であり、（ａ）はＤ−Ｄ断面図であり、（ｂ）はＥ−Ｅ断面図であり、（ｃ）はＦ−Ｆ断面図である。
【図９】図１のレセプタクルコネクタに適用される補強金具の変形例を示し、（ａ）は上面側から見た斜視図であり、（ｂ）は下面側から見た斜視図である。
【図１０】本発明の他の一実施形態のレセプタクルコネクタの上面側斜視図である。
【図１１】図１０のレセプタクルコネクタの平面図である。
【図１２】図１０のレセプタクルコネクタの横断面図であり、（ａ）は図１１中のＡ−Ａ断面図であり、（ｂ）は図１１中のＢ−Ｂ断面図であり、（ｃ）は図１１中のＣ−Ｃ断面図である。
【図１３】図１０のレセプタクルコネクタのハウジングの長手方向端部に設けられた補強金具を示し、（ａ）は上面側から見た斜視図であり、（ｂ）は下面側から見た斜視図である。
【発明を実施するための形態】
【００１４】
以下、本発明のレセプタクルコネクタの実施形態を図面に基づき詳細に説明する。実施形態のレセプタクルコネクタは、相手方コネクタであるプラグコネクタと協働して基板対基板コネクタを構成する。基板対基板コネクタは、一方の基板に実装されるレセプタクルコネクタと、他方の基板に実装されるプラグコネクタとを嵌合させることで両基板間の電気的な接続を行う電気コネクタである。基板は、レセプタクルコネクタおよびプラグコネクタを実装可能であればその種類や形態に特に制限はなく、例えば、リジッド基板、フレキシブル基板（ＦＰＣ）、リジッドフレキシブル基板（リジッドＦＰＣ基板）等であってよい。以下の説明において、レセプタクルコネクタおよびプラグコネクタの底面または下面とは、それぞれ基板に実装される側の面を指し、上面とは、該底面または下面の反対側の面を指すものとする。また、実装方式は、基板表面に半田付けする表面実装式に限らず、例えば、基板のスルーホールに挿入して半田付けするディップ式や圧入によるプレスフィットでもよい。
【００１５】
図１には、基板対基板コネクタ１０を構成するレセプタクルコネクタ２０およびプラグコネクタ３０が分離された状態（接続解除状態）で示されている。図中の矢印は、レセプタクルコネクタ２０およびプラグコネクタ３０の嵌合方向（接続方向）を示す。レセプタクルコネクタ２０およびプラグコネクタ３０は相互に着脱自在である。
【００１６】
図２に示すように、レセプタクルコネクタ２０は主として、ハウジング２００と、所要数のコンタクト２２０と、補強金具２３０とを備える。
【００１７】
ハウジング２００は、電気絶縁性の合成樹脂を材料として射出成形等によって製造される。合成樹脂材料としては、例えば液晶ポリマー（ＬＣＰ）やポリフェニレンサルファイド（ＰＰＳ）、ポリブチレンテレフタレート（ＰＢＴ）、ポリアミド（ＰＡ）等が挙げられるが、これらに限定されない。ハウジング２００の材料は、無機フィラーや補強繊維等を含有していてもよい。
【００１８】
ハウジング２００は、偏平な略直方体状の外形を有する。ハウジング２００は、底壁２０１と底壁２０１の周縁から起立する周壁２０２とを有する。底壁２０１および周壁２０２は上面に開口する凹部２０３を区画する。
【００１９】
周壁２０２は、コンタクト２２０の配列ピッチ方向（ハウジング２００の長手方向）Ｘに沿って延在し互いに対向する側壁部２０２ａと、コンタクト２２０の配列ピッチ方向と直交する方向（ハウジングの短手方向）Ｙに沿って延在し互いに対向する端壁部２０２ｂとを有する。側壁部２０２ａの内面には、各コンタクト２２０の外側部分を収容する平面視略Ｔ字形状の外側収容溝２０４が形成されている。外側収容溝２０４は、ハウジング２００を高さ方向（厚み方向）に貫通している。外側収容溝２０４内にコンタクト２２０が挿入により組み付けられる場合、外側収容溝２０４はコンタクトに圧接する寸法を有することが好ましい。これに代えて、コンタクト２２０はハウジング２００の射出成形時に一体化することもできる。すなわち、各コンタクト２２０をインサート体として図示しない金型に保持（セット）させ、ハウジング２００の肉厚を形成する空間にハウジング２００を形成する電気絶縁性の合成樹脂材料を射出（充填）することで、コンタクト２２０をハウジング２００に固定（保持）してもよい。
【００２０】
ハウジング２００はさらに、底壁２０１上に周壁２０２から離間して形成された平面視矩形の隆起部２０５を有する。これにより凹部２０３は環状空間として区画される。隆起部２０５の、側壁部２０２ａに対向する側面には、コンタクト２２０の内側部分を収容する内側収容溝２０６が形成されている。内側収容溝２０６は、外側収容溝２０４に対向する位置にてハウジング２００の高さ方向に延在する。内側収容溝２０６内には、湾曲状をした傾斜部分２０６ａ（図５（ｂ），（ｃ））が形成されている。傾斜部分２０６ａはコンタクト２２０の内側接触部２２５の傾斜部分２２５ａに沿うようにし、相手コネクタであるプラグコネクタ３０の抜去時にコンタクト２２０の内側接触部２２５の持ち上がり防止やコンタクト２２０の変形防止等の動き（バックアップ）を調整する部分であり、繰り返し挿抜した際の安定した接続が得られるようにしたものである。内側収容溝２０６内の傾斜部分２０６ａの形状・大きさは、コンタクト２２０の内側接触部２２５の傾斜部分２２５ａに沿い、かつ、このような役割や接続安定性や加工性等を考慮して適宜設計する。
【００２１】
図１および図３に示すように、底壁２０１には、外側収容溝２０４および内側収容溝２０６と連通する開口２０７が形成されている。コンタクト２２０をハウジング２００に挿入により組み付ける場合には、開口２０７を通じてコンタクト２２０を底面側から挿入することができる。
【００２２】
コンタクト２２０は、図４に示すように、導電性金属、好ましくは銅または銅合金からなり、幅の狭い信号用コンタクト２２０Ｓと、幅の広い電源用コンタクト２２０Ｐとを含む。しかし、全てのコンタクト２２０が信号用コンタクト２２０Ｓであってもよい。信号用コンタクト２２０Ｓと電源用コンタクト２２０Ｐの両方を設ける場合、両者は同じ形状および寸法でもよい。
【００２３】
図５（ｂ）および図５（ｃ）に示すように、各コンタクト２２０（２２０Ｓ，２２０Ｐ）は、基板に実装される接続部２２１と、接続部２２１からハウジング２００の高さ方向に沿って延び外側収容溝２０４に保持される被保持部２２２と、被保持部２２２の上端から隆起部２０５側に延出する延出部２２３と、隆起部２０５へ向けて凸に湾曲する外側接触部２２４と、該外側接触部２２４と対向し外側接触部２２４へ向けて凸に湾曲する内側接触部２２５と、断面Ｕ字形状を有し外側接触部２２４および内側接触部２２５間を連結する連結部２２６とを有する。コンタクト２２０は、プラグコネクタ３０の後述するコンタクト３２０と接触できればよく、その構造は図示例に限定されず、例えば、唯一の接触部（２２４または２２５）を有するものでもよい。内側接触部２２５側に形成された傾斜部分２２５ａは、ハウジング２００の内側収容溝２０６内の傾斜部分２０６ａと沿うよう（ほぼ対応する形状）にすることにより、相手コネクタであるプラグコネクタ３０の抜去時にコンタクト２２０の内側接触部２２５の持ち上がり防止やコンタクト２２０の変形防止等の動き（バックアップ）を調整する部分であり、繰り返し挿抜した際の安定した接続が得られるようにしたものである。内側接触部分２２５に形成された傾斜部分２２５ａの形状・大きさは、ハウジング２００の内側収容溝２０６内の傾斜部分２０６ａに沿い、かつ、このような役割や接続安定性や加工性等を考慮して適宜設計する。
【００２４】
図１および図２に戻り、補強金具２３０は金属製、好ましくは銅や銅合金等の導電性金属からなり、ハウジング２００の長手方向両端部を部分的に覆っている。これによりハウジング２００の両端部は補強されている。補強金具２３０は、ハウジング２００を基板に固定する固定タブとしても機能する。
【００２５】
図６に補強金具２３０を単体で示す。補強金具２３０はハウジング２００の射出成形時にハウジング２００と一体化される。すなわち、補強金具２３０をインサート体として図示しない金型に保持（セット）し、ハウジング２００の肉厚を形成する空間にハウジング２００の合成樹脂材料を射出（充填）することで、補強金具２３０はハウジング２００に固定（保持）される。これに代えて、補強金具２３０はハウジング２００の形成後にハウジング２００に挿入（圧入）および／または接着により固定してもよい。
【００２６】
補強金具２３０は、主として、頂壁２３１と、ハウジング２００の短手方向Ｙで対向する一対の垂下側壁２３２と、垂下端壁２３３と、垂下片２３４と、片持ち弾性片２３５と、接触片２３６とを備え、金属製板材から例えばスタンピング加工により所定形状、寸法にカットした中間片を曲げ加工することで形成される。
【００２７】
頂壁２３１は、ハウジング２００の長手方向端部において、周壁２０２の側壁部２０２ａの上面および端壁部２０２ｂの上面（基板実装面の反対側の面）に沿って延在する平面視略Ｃ字形状をなす。頂壁２３１の対向内辺および後辺には、ハウジング２００と係合する係合部２３１ａ，２３１ｂを形成することが好ましい。係合部２３１ａは、ハウジング２００と長手方向Ｘで係合して該長手方向Ｘでの相対移動を規制する。係合部２３１ｂは、ハウジング２００と短手方向Ｙで係合して該短手方向Ｙでの相対移動を規制する。
【００２８】
垂下側壁２３２は、頂壁２３１の外側側縁から周壁２０２の側壁部２０２ａの外面に沿って垂下し、その下端部において基板に実装、固定される。垂下端壁２３３は、頂壁２３１の後辺（外側の端縁）から周壁２０２の端壁部２０２ｂの外面に沿って垂下し、その下端部において基板に実装、固定される。垂下側壁２３２および垂下端壁２３３は、周壁２０２の外面と面一である。
【００２９】
垂下片２３４は、頂壁２３１の内側の端縁から周壁２０２の端壁部２０２ｂの内面に沿って垂下し、垂下端壁２３３との間に該端壁部２０２ｂを挟持する。垂下片２３４は周壁２０２の内面と面一である。
【００３０】
片持ち弾性片２３５は、各垂下側壁２３２の、長手方向Ｘで外側に位置する側縁から他方の垂下側壁２３２に向かって延びる垂直な延出壁２３７を介して該垂下側壁２３２に一体に連結されている。片持ち弾性片２３５は、コンタクト２２０の配列ピッチ方向（ハウジング２００の長手方向Ｘ）に沿って延在する。図１に示すように、片持ち弾性片２３５は、所定のばね長が得られるようその自由端側端部がハウジング２００の樹脂材料から露出し、残余部分がハウジング２００の樹脂材料内に埋没されている。片持ち弾性片２３５の自由端側端部を露出させるため、ハウジング２００の底壁２０１には、片持ち弾性片２３５の自由端側端部の周辺に貫通孔２０８（図２および図３参照）が形成されている。片持ち弾性片２３５はその全体がハウジング２００の樹脂材料から露出するものでもよい。補強金具２３０はさらに、片持ち弾性片２３５の自由端側端部から延出し、レセプタクルコネクタ２０とプラグコネクタ３０との嵌合時にプラグコネクタ３０と接触する接触片２３６を有する。接触片２３６が所定のばね長を有する片持ち弾性片２３５に支持されているので、レセプタクルコネクタ２０が低背化された場合においても、十分なばね長を確保して接触片２３６をプラグコネクタ３０に安定して接触させることができる。
【００３１】
好適な態様では、接触片２３６は、ハウジング２００の高さ方向、つまり片持ち弾性片２３５の自由端側端部から頂壁２３１に向かって延出している。
【００３２】
より好適な態様では、レセプタクルコネクタ２０に対するプラグコネクタ３０の嵌合方向で見て、接触片２３６の先端部は、頂壁２３１によって覆隠されている。これにより、プラグコネクタ３０との背面嵌合等の不適切な嵌合は回避される。
【００３３】
より好適な態様では、接触片２３６は、その基端部と先端部との間に内向き凸、すなわち凹部２０３の内側へ向けて突出した湾曲部２３６ａを有する。これにより、短手方向Ｙで対向する接触片２３６間へのプラグコネクタ３０の挿入・抜去を円滑に行うことができる。
【００３４】
図７および図８に、レセプタクルコネクタ２０とプラグコネクタ３０との嵌合状態を示す。図７は嵌合状態にあるレセプタクルコネクタ２０およびプラグコネクタ３０を、プラグコネクタ３０の底面側（基板実装側）から見た平面図であり、図８（ａ）は図７中のＤ−Ｄ線に沿う断面図であり、図８（ｂ）は図７中のＥ−Ｅ線に沿う断面図であり、図８（ｃ）は図７中のＦ−Ｆ線に沿う断面図である。
【００３５】
図７および図８に加えて図１に示すように、プラグコネクタ３０は、主として電気絶縁性の合成樹脂からなるブロック３００と、ブロック３００に保持された所要数のコンタクト３２０と、ブロック３００の長手方向端部に設けられた補強金具３３０とを備える。
【００３６】
ブロック３００の材料としては、例えば液晶ポリマー（ＬＣＰ）やポリフェニレンサルファイド（ＰＰＳ）、ポリブチレンテレフタレート（ＰＢＴ）、ポリアミド（ＰＡ）等が挙げられるが、これらに限定されない。ブロック３００の材料は、無機フィラーや補強繊維等を含有していてもよい。ブロック３００は、ハウジング２００の凹部２０３に適合する形状を有し、隆起部２０５を収容する溝３０５（図１）を有する。
【００３７】
コンタクト３２０は、図１、図７および図８（ａ），（ｂ）に示すように、幅の狭い信号用コンタクト３２０Ｓと、幅の広い電源用コンタクト３２０Ｐとを含む。しかし、全てのコンタクト３２０が信号用コンタクト３２０Ｓであってもよい。信号用コンタクト３２０Ｓと電源用コンタクト３２０Ｐの両方を設ける場合、両者は同じ形状および寸法でもよい。コンタクト３２０は導電性金属、例えば銅または銅合金からなる。各コンタクト３２０は、基板に実装される接続部３２１と、接続部３２１からブロック３００の高さ方向に起立しコンタクト２２０の内側接触部２２５と接触する内側接触部３２５と、該内側接触部３２５と対向しコンタクト２２０の外側接触部２２４と接触する外側接触部３２４と、内側接触部３２５および外側接触部３２４を連結する連結部３２６とを有する。コンタクト３２０は、レセプタクルコネクタ２０のコンタクト２２０と接触できればよく、その構造は図示例に限定されず、例えば、唯一の接触部（３２４または３２５）を有するものでもよい。
【００３８】
補強金具３３０は、ブロック３００の射出成形時に一体化される。すなわち、補強金具３３０をインサート体として図示しない金型に保持（セット）し、ブロック３００の肉厚を形成する空間にブロック３００の合成樹脂材料を射出（充填）することで、補強金具３３０はブロック３００に固定（保持）される。これに代えて、補強金具３３０はブロック３００の形成後にブロック３００に挿入（圧入）および／または接着により固定してもよい。
【００３９】
補強金具３３０は、好ましくは銅または銅合金等の導電性金属からなる板材を所定形状、寸法にカットした中間片を曲げ加工することで形成される。補強金具３３０は、図１に示すように、ブロック３００の長手方向端部を上面、左右の側面および端面の４面で覆うように形成される。補強金具３３０はまた、底面側でブロック３００から突出し基板に実装、固定される接続片３３０ａを有する。
【００４０】
図８（ａ）では、レセプタクルコネクタ２０の幅広のコンタクト２２０Ｐの外側接触部２２４および内側接触部２２５間に、プラグコネクタ３０の幅広のコンタクト３２０Ｐが入り込んで２点接触していることが視認される。また、レセプタクルコネクタ２０の隆起部２０５がプラグコネクタ３０の溝３０５内に挿入されていることが視認される。
【００４１】
同様に、図８（ｂ）では、レセプタクルコネクタ２０の幅狭のコンタクト２２０Ｓの外側接触部２２４および内側接触部２２５間に、プラグコネクタ３０の幅狭のコンタクト３２０Ｓが入り込んで２点接触していることが視認される。また、レセプタクルコネクタ２０の隆起部２０５がプラグコネクタ３０の溝３０５内に挿入されていることが視認される。
【００４２】
図８（ｃ）では、レセプタクルコネクタ２０の凹部２０３内にプラグコネクタ３０のブロック３００が挿入され、プラグコネクタ３０の補強金具３３０がレセプタクルコネクタ２０の補強金具２３０の片持ち弾性片２３５に支持された接触片２３６と接触している様子が視認される。
【００４３】
次に図９を参照し、本発明の実施形態のレセプタクルコネクタ２０に適用される補強金具２３０の変形例を説明する。図６を参照して説明した補強金具２３０では、片持ち弾性片２３５が、垂下側壁２３２の、長手方向Ｘで外側に位置する側縁から対向する他方の垂下側壁２３２に向かって延びる垂直な延出壁２３７を介して該垂下側壁２３２に一体に連結されているが、本変形例では、図９に示すように、片持ち弾性片２３５は、垂下側壁２３２の、長手方向Ｘで外側寄り部分の下端から対向する他方の垂下側壁２３２に向かって延びる水平な延出壁２３７を介して該垂下側壁２３２に一体的に連結されている。
【００４４】
片持ち弾性片２３５が、コンタクト２２０の配列ピッチ方向（ハウジング２００の長手方向Ｘ）に沿って延在する点は図６の補強金具２３０と同じである。片持ち弾性片２３５は、所定のばね長が得られるようその自由端端部側がハウジング２００の樹脂材料から露出し、残余部分がハウジング２００の樹脂材料内に埋没されているが、片持ち弾性片２３５の全体をハウジング２００の樹脂材料から露出させてもよい。補強金具２３０はさらに、片持ち弾性片２３５の自由端側端部から延出し、レセプタクルコネクタ２０とプラグコネクタ３０との嵌合時にプラグコネクタ３０と接触する接触片２３６を有する。接触片２３６が所定のばね長を有する片持ち弾性片２３５に支持されているので、レセプタクルコネクタ２０が低背化された場合においても、十分なばね長を確保して接触片２３６をプラグコネクタ３０に安定して接触させることができる。
【００４５】
本変形例においても、接触片２３６は、ハウジング２００の高さ方向、すなわち片持ち弾性片２３５の自由端側端部から頂壁２３１に向かって延在している。
【００４６】
また、レセプタクルコネクタ２０に対するプラグコネクタ３０の嵌合方向で見て、接触片２３６の先端部は、頂壁２３１によって覆隠されていることが好ましく、これにより、プラグコネクタ３０との背面嵌合等の不適切な嵌合は回避される。
【００４７】
さらに、接触片２３６は、その基端部と先端部との間に内向き凸、すなわち凹部２０３の内側へ向けて突出した湾曲部２３６ａを有することが好ましく、これにより、短手方Ｙで対向する接触片２３６間へのプラグコネクタ３０の挿入・抜去を円滑に行うことができる。
【００４８】
図１０は、本発明の他の一実施形態のレセプタクルコネクタ２０を示す上面側斜視図である。このレセプタクルコネクタ２０も、先の実施形態におけるプラグコネクタ３０と同様の図示しないプラグコネクタと嵌合することで基板間の電気的な接続を行う基板対基板コネクタを構成するものであり、そのプラグコネクタとレセプタクルコネクタ２０とは相互に着脱自在である。
【００４９】
図１０に示すように、レセプタクルコネクタ２０は主として、ハウジング２００と、所要数のコンタクト２２０と、補強金具２３０とを備える。
【００５０】
ハウジング２００は、電気絶縁性の合成樹脂を材料として射出成形等によって製造される。合成樹脂材料としては、例えば液晶ポリマー（ＬＣＰ）やポリフェニレンサルファイド（ＰＰＳ）、ポリブチレンテレフタレート（ＰＢＴ）、ポリアミド（ＰＡ）等が挙げられるが、これらに限定されない。ハウジング２００の材料は、無機フィラーや補強繊維等を含有していてもよい。
【００５１】
ハウジング２００は、偏平な略直方体状の外形を有する。ハウジング２００は、底壁２０１と底壁２０１の周縁から起立する周壁２０２とを有する。底壁２０１および周壁２０２は上面に開口する凹部２０３を区画する。
【００５２】
周壁２０２は、コンタクト２２０の配列ピッチ方向（ハウジング２００の長手方向）Ｘに沿って延在し互いに対向する側壁部２０２ａと、コンタクト２２０の配列ピッチ方向と直交する方向（ハウジングの短手方向）Ｙに沿って延在し互いに対向する端壁部２０２ｂとを有する。側壁部２０２ａの内面には、各コンタクト２２０の外側部分を収容する平面視略Ｔ字形状の外側収容溝２０４が形成されている。外側収容溝２０４は、ハウジング２００を高さ方向（厚み方向）に貫通している。外側収容溝２０４内にコンタクト２２０が挿入により組み付けられる場合、外側収容溝２０４はコンタクトに圧接する寸法を有することが好ましい。
【００５３】
これに代えて、コンタクト２２０はハウジング２００の射出成形時に一体化することもできる。すなわち、各コンタクト２２０をインサート体として図示しない金型に保持（セット）させ、ハウジング２００の肉厚を形成する空間にハウジング２００を形成する電気絶縁性の合成樹脂材料を射出（充填）することで、コンタクト２２０をハウジング２００に固定（保持）してもよい。
【００５４】
ハウジング２００はさらに、底壁２０１上に周壁２０２から離間して形成された平面視矩形の隆起部２０５を有する。これにより凹部２０３は環状空間として区画される。隆起部２０５の、側壁部２０２ａに対向する側面には、コンタクト２２０の内側部分を収容する内側収容溝２０６が形成されている。内側収容溝２０６は、外側収容溝２０４に対向する位置にてハウジング２００の高さ方向に延在する。内側収容溝２０６内には、湾曲状をした傾斜部分２０６ａ（図１２（ｃ））が形成されている。
【００５５】
傾斜部分２０６ａはコンタクト２２０の内側接触部２２５の傾斜部分２２５ａに沿うようにし、相手コネクタであるプラグコネクタの抜去時にコンタクト２２０の内側接触部２２５の持ち上がり防止やコンタクト２２０の変形防止等の動き（バックアップ）を調整する部分であり、繰り返し挿抜した際の安定した接続が得られるようにしたものである。内側収容溝２０６内の傾斜部分２０６ａの形状・大きさは、コンタクト２２０の内側接触部２２５の傾斜部分２２５ａに沿い、かつ、このような役割や接続安定性や加工性等を考慮して適宜設計する。
【００５６】
図１２（ｃ）に示すように、底壁２０１には、外側収容溝２０４および内側収容溝２０６と連通する開口２０７が形成されている。コンタクト２２０をハウジング２００に挿入により組み付ける場合には、開口２０７を通じてコンタクト２２０を底面側から挿入することができる。
【００５７】
コンタクト２２０は、先の実施形態のものと同様、導電性金属、好ましくは銅または銅合金からなり、この実施形態では、全てのコンタクト２２０が同じ形状および寸法を有している。
【００５８】
図１２（ｃ）に示すように、各コンタクト２２０は、基板に実装される接続部２２１と、接続部２２１からハウジング２００の高さ方向に沿って延び外側収容溝２０４に保持される被保持部２２２と、被保持部２２２の上端から隆起部２０５側に延出する延出部２２３と、隆起部２０５へ向けて凸に湾曲する外側接触部２２４と、該外側接触部２２４と対向し外側接触部２２４へ向けて凸に湾曲する内側接触部２２５と、断面Ｕ字形状を有し外側接触部２２４および内側接触部２２５間を連結する連結部２２６とを有する。コンタクト２２０は、図１に示す如きプラグコネクタのコンタクトと接触できればよく、その構造は図示例に限定されず、例えば、唯一の接触部（２２４または２２５）を有するものでもよい。
【００５９】
内側接触部２２５側に形成された傾斜部分２２５ａは、ハウジング２００の内側収容溝２０６内の傾斜部分２０６ａと沿うよう（ほぼ対応する形状）にすることにより、相手コネクタであるプラグコネクタの抜去時にコンタクト２２０の内側接触部２２５の持ち上がり防止やコンタクト２２０の変形防止等の動き（バックアップ）を調整する部分であり、繰り返し挿抜した際の安定した接続が得られるようにしたものである。内側接触部分２２５に形成された傾斜部分２２５ａの形状・大きさは、ハウジング２００の内側収容溝２０６内の傾斜部分２０６ａに沿い、かつ、このような役割や接続安定性や加工性等を考慮して適宜設計する。
【００６０】
この実施形態における各コンタクト２２０の内側接触部２２５の傾斜部分２２５ａは、先の実施形態における内側接触部２２５の先端部側に配置された傾斜部分２２５ａと異なって、連結部２２６に連なる内側接触部２２５の基部側に配置されており、このようにして、相手コネクタであるプラグコネクタの抜去時にハウジング２００の内側収容溝２０６内の傾斜部分２０６ａで傾斜部分２２５ａを確実にバックアップすることにより、コンタクト２２０の内側接触部２２５の持ち上がりやコンタクト２２０の変形を防止して、プラグコネクタを繰り返し挿抜した際の安定した接続が得られるようにしている。
【００６１】
図１０に戻り、補強金具２３０は金属製、好ましくは銅や銅合金等の導電性金属からなり、ハウジング２００の長手方向両端部を部分的に覆っている。これによりハウジング２００の両端部は補強されている。補強金具２３０は、ハウジング２００を基板に固定する固定タブとしても機能する。
【００６２】
図１３に補強金具２３０を単体で示す。補強金具２３０はハウジング２００の射出成形時にハウジング２００と一体化される。すなわち、補強金具２３０をインサート体として図示しない金型に保持（セット）し、ハウジング２００の肉厚を形成する空間にハウジング２００の合成樹脂材料を射出（充填）することで、補強金具２３０はハウジング２００に固定（保持）される。これに代えて、補強金具２３０はハウジング２００の形成後にハウジング２００に挿入（圧入）および／または接着により固定してもよい。
【００６３】
補強金具２３０は、主として、頂壁２３１と、ハウジング２００の短手方向Ｙで対向する一対の垂下側壁２３２と、垂下端壁２３３と、垂下片２３４と、片持ち弾性片２３５と、接触片２３６とを備え、金属製板材から例えばスタンピング加工により所定形状、寸法にカットした中間片を曲げ加工することで形成される。
【００６４】
頂壁２３１は、ハウジング２００の長手方向端部において、周壁２０２の側壁部２０２ａの上面および端壁部２０２ｂの上面（基板実装面の反対側の面）に沿って延在する平面視略Ｃ字形状をなす。頂壁２３１の対向内辺および後辺には、ハウジング２００と係合する係合部２３１ａ，２３１ｂを形成することが好ましい。係合部２３１ａは、ハウジング２００と長手方向Ｘで係合して該長手方向Ｘでの相対移動を規制する。係合部２３１ｂは、ハウジング２００と短手方向Ｙで係合して該短手方向Ｙでの相対移動を規制する。
【００６５】
垂下側壁２３２は、頂壁２３１の外側側縁から周壁２０２の側壁部２０２ａの外面に沿って垂下し、その下端部において基板に実装、固定される。垂下端壁２３３は、頂壁２３１の後辺（外側の端縁）から周壁２０２の端壁部２０２ｂの外面に沿って垂下し、その下端部において基板に実装、固定される。垂下側壁２３２および垂下端壁２３３は、周壁２０２の外面と面一である。
【００６６】
垂下片２３４は、頂壁２３１の内側の端縁から周壁２０２の端壁部２０２ｂの内面に沿って垂下し、垂下端壁２３３との間に該端壁部２０２ｂを挟持する。垂下片２３４の先端からは底部片２３８が水平に延在し、その底部片２３８の先端からは垂下片２３４と対向する対向片２３９が立ち上がり、これら垂下片２３４と底部片２３８と対向片２３９とは全体として溝形をなし、その対向片２３９の先端からは端部片２４０が水平に延在する。図１０に示すように、垂下片２３４は周壁２０２の端壁部２０２ｂの内面と面一であり、対向片２３９はハウジング２００の隆起部２０５の、端壁部２０２ｂの内面と対向する端面と面一であり、図１２（ａ）に示すように、底部片２３８はハウジング２００の底壁２０１の内面と面一であり、図１２（ｂ）に示すように、端部片２４０はハウジング２００の隆起部２０５の上面と面一である。
【００６７】
片持ち弾性片２３５は、各垂下側壁２３２の、長手方向Ｘで外側に位置する側縁から他方の垂下側壁２３２に向かって延びる垂直な延出壁２３７を介して該垂下側壁２３２に一体に連結されている。片持ち弾性片２３５は、コンタクト２２０の配列ピッチ方向（ハウジング２００の長手方向Ｘ）に沿って延在する。図１０および図１２（ａ）に示すように、片持ち弾性片２３５は、所定のばね長が得られるようその自由端側端部がハウジング２００の樹脂材料から露出し、残余部分がハウジング２００の樹脂材料内に埋没されている。片持ち弾性片２３５の自由端側端部を露出させるため、ハウジング２００の底壁２０１には、片持ち弾性片２３５の自由端側端部の周辺に貫通孔２０８（図１２（ａ）参照）が形成されている。
【００６８】
片持ち弾性片２３５はその全体がハウジング２００の樹脂材料から露出するものでもよい。補強金具２３０はさらに、片持ち弾性片２３５の自由端側端部から延出し、レセプタクルコネクタ２０とプラグコネクタとの嵌合時にプラグコネクタと接触する接触片２３６を有する。接触片２３６が所定のばね長を有する片持ち弾性片２３５に支持されているので、レセプタクルコネクタ２０が低背化された場合においても、十分なばね長を確保して接触片２３６をプラグコネクタに安定して接触させることができる。
【００６９】
好適な態様では、接触片２３６は、ハウジング２００の高さ方向、つまり片持ち弾性片２３５の自由端側端部から頂壁２３１に向かって延出している。より好適な態様では、レセプタクルコネクタ２０に対するプラグコネクタ３０の嵌合方向で見て、接触片２３６の先端部は、頂壁２３１によって覆隠されている。これにより、プラグコネクタ３０との背面嵌合等の不適切な嵌合は回避される。
【００７０】
より好適な態様では、接触片２３６は、その基端部と先端部との間に内向き凸、すなわち凹部２０３の内側へ向けて突出した湾曲部２３６ａを有する。これにより、短手方向Ｙで対向する接触片２３６間へのプラグコネクタ３０の挿入・抜去を円滑に行うことができる。
【００７１】
この実施形態のレセプタクルコネクタ２０によっても、先の実施形態のレセプタクルコネクタ２０と同様の作用効果を得ることができる。
【産業上の利用可能性】
【００７２】
本発明によれば、コネクタを低背化してもなお、補強金具の接触片を介して相手方コネクタとの良好な接触が得られるレセプタクルコネクタを提供することが可能となる。
【符号の説明】
【００７３】
１０                基板対基板コネクタ
２０                レセプタクルコネクタ
２００              ハウジング
２０１              底壁
２０２              周壁
２０２ａ            側壁部
２０２ｂ            端壁部
２０３              凹部
２０４              外側収容溝
２０５              隆起部
２０６              内側収容溝
２０７              開口
２０８              貫通孔
２２０              コンタクト
２２０Ｐ            電源用コンタクト
２２０Ｓ            信号用コンタクト
２２１              接続部
２２２              被保持部
２２３              延出部
２２４              外側接触部
２２５              内側接触部
２２６              連結部
２３０              補強金具
２３１              頂壁
２３１ａ，２３１ｂ  係合部
２３２              垂下側壁
２３３              垂下端壁
２３４              垂下片
２３５              片持ち弾性片
２３６              接触片
２３６ａ            湾曲部
２３７              延出壁
２３８              底部片
２３９              対向片
２４０              端部片
【図１】
2020059210.tif 000003
【図２】
2020059210.tif 000004
【図３】
2020059210.tif 000005
【図４】
2020059210.tif 000006
【図５】
2020059210.tif 000007
【図６】
2020059210.tif 000008
【図７】
2020059210.tif 000009
【図８】
2020059210.tif 000010
【図９】
2020059210.tif 000011
【図１０】
2020059210.tif 000012
【図１１】
2020059210.tif 000013
【図１２】
2020059210.tif 000014
【図１３】
2020059210.tif 000015
【国際調査報告】
2020059210.tif 000016
2020059210.tif 000017
2020059210.tif 000018
2020059210.tif 000019